(57)【要約】【課題】特定の棚に配置された商品の在庫を管理することができる。【解決手段】無線部は、物品に付され前記物品の商品コード及びパスワードを記憶可能なＲＦＩＤタグと無線通信可能とする。トリガーは、前記物品の第１領域から第２領域への移動通知を受け付ける。エリアパスワード設定部は、前記第２の領域に対応するパスワードを記憶する。前記トリガーによる前記通知手段により前記物品の第１領域から第２領域への移動通知を受け付けると、パスワード更新手段により前記無線部を動作させて前記物品に付されたＲＦＩＤタグに前記エリアパスワード記憶手段で記憶した前記第２の領域に対応するパスワードを書込む。【選択図】図３
2011053894.tif 000002
【特許請求の範囲】
【請求項１】
物品に付され前記物品の商品コード及びパスワードを記憶可能なＲＦＩＤタグと無線通信可能な無線部と、
前記物品の第１領域から第２領域への移動通知を受け付ける通知手段と、
前記第２の領域に対応するパスワードを記憶するエリアパスワード記憶手段と、
前記通知手段により前記物品の第１領域から第２領域への移動通知を受け付けると前記無線部を動作させて前記物品に付されたＲＦＩＤタグに前記エリアパスワード記憶手段で記憶した前記第２の領域に対応するパスワードを書込むパスワード更新手段と、
を具備することを特徴する物品管理装置。
【請求項２】
前記通知手段は、前記物品の前記第２領域から前記第１領域への移動通知を受付ける手段をさらに含み、
前記エリアパスワード記憶手段は、前記第１の領域に対応するパスワードをさらに記憶し、
前記パスワード更新手段は、前記通知手段により前記物品の第２領域から第１領域への移動通知を受け付けると前記無線部を動作させて前記物品に付されたＲＦＩＤタグに前記エリアパスワード記憶手段で記憶した前記第１の領域に対応するパスワードを書込む手段をさらに含むことを特徴する請求項１記載の物品管理装置。
【請求項３】
前記商品コードと該商品コードに関連付けられたパスワードとを記憶する商品テーブルを更に備え、
前記パスワード更新手段は、前記ＲＦＩＤタグに前記第１の領域に対応するパスワードまたは前記第２の領域に対応するパスワードを書き込むと同時に、前記商品テーブルの当該ＲＦＩＤタグに記憶されている商品コードに関連付けられているパスワードをそのＲＦＩＤタグに書き込んだパスワードに書き換えることを特徴とする請求項１または２記載の物品管理装置。
【請求項４】
前記第１パスワードまたは前記第２パスワードのいずれか入力を受付ける入力手段と、
前記入力手段により入力された前記第１パスワードまたは前記第２パスワードを記憶する記憶手段と、
前記ＲＦＩＤタグから該ＲＦＩＤタグが記憶する前記商品コードとパスワードを読取る読取手段と、
前記読取手段により読み取ったパスワードが、前記記憶手段において記憶されたパスワードと一致するか比較する比較手段と、
パスワードが一致する前記ＲＦＩＤタグの商品コードを管理対象の物品を識別する情報として保存する保存手段と
を具備することを特徴とする請求項１乃至３のうちいずれか１に記載の物品管理装置。
【請求項５】
物品に付され前記物品の商品コード及びパスワードを記憶可能なＲＦＩＤタグと無線通信可能な無線部を備えた物品管理装置に、
前記物品の第１領域から第２領域への移動通知を受け付ける通知手段と、
前記第２の領域に対応するパスワードを記憶するエリアパスワード記憶手段と、
前記通知手段により前記物品の第１領域から第２領域への移動通知を受け付けると前記無線部を動作させて前記物品に付されたＲＦＩＤタグに前記エリアパスワード記憶手段で記憶した前記第２の領域に対応するパスワードを書込むパスワード更新手段と、として機能させるための制御プログラム。
【請求項６】
第１パスワードの入力を受け付ける受付部と、
前記受付部が受け付けた前記第１パスワードを商品棚毎に設定する設定部と、
物品に付され物品の商品コード及び第２パスワードを記憶可能なＲＦＩＤタグと無線通信可能な無線部と、
前記無線部により、前記ＲＦＩＤタグから読み出された前記第２パスワードと前記第１パスワードとが一致しているか否かを比較する比較手段と、
前記比較手段により一致している場合、前記商品コード毎に前記物品の数量を計数する計数手段と、
前記計数手段により算出された前記物品と該物品の前記数量とを表示する表示手段と
を具備することを特徴とする物品管理装置。
【発明の詳細な説明】
【技術分野】
【０００１】
本発明は、商品等の物品の在所を、各物品にそれぞれ付されたＲＦＩＤタグの情報を読取ることによって管理する物品管理装置、及び制御プログラムに関する。
【背景技術】
【０００２】
近年、管理対象となる物品にＲＦＩＤタグを付し、このタグの情報をタグリーダで読み取ることにより、各物品の在処を管理する物品管理システムが開発されている。タグリーダは、複数のＲＦＩＤタグの情報を略同時に非接触で読み取ることができるので、棚卸し作業に要する人的負荷を大幅に軽減することができる。また、作業にかかる時間も大幅に短縮できるメリットがある。
【０００３】
しかしながら、タグリーダは、アンテナから放射される電波の到達領域内に存在すればその情報を読み取れる可能性がある。特に、電波としてＵＨＦ帯を用いると、リーダ・ライタによるＲＦＩＤタグの読取範囲が広くなる。このため、特定の棚や、バックヤードなどの指定領域内に置かれている物品のみのＲＦＩＤタグの情報を読み取らせようとしても、電波が指定領域を越えて放射されていると、その指定領域外に置かれている物品のＲＦＩＤタグの情報も同時に読み取ってしまう。この場合、指定領域外に置かれた物品も指定領域内にあるものとして管理される。例えば、誤って隣接する商品棚に配置された商品に付されたタグリーダの情報を更に読取ってしまう場合や、バックヤードに配置された商品に付されたタグリーダの情報を読取るところが、誤って店頭に配置された商品に付されたタグリーダの情報をも読取ってしまうといった場合が一例として挙げられる。
【０００４】
そこで従来、各物品が配置される複数の領域を個々に特定する位置情報を入力する位置情報入力手段と、この位置情報入力手段により位置情報が入力される毎にその入力された位置情報を上書きして記憶する位置情報記憶手段と、ＲＦＩＤタグ毎に、そのタグ固有の識別情報とそのタグが付された物品が配置されている領域の位置情報とを関連付けて記憶するタグ基本位置記憶手段と、タグリーダによりＲＦＩＤタグから読み取った識別情報と関連付けてタグ基本位置記憶手段により記憶されている位置情報が、位置情報記憶手段により記憶されている位置情報と一致するか否かを判定する位置判定手段と、タグリーダにより識別情報が読み取られたＲＦＩＤタグ毎に、位置判定手段による判定結果を報知する報知手段とを備え、指定領域内に置かれている物品のＲＦＩＤタグの情報と指定領域外に置かれている物品のＲＦＩＤタグの情報とを識別できるようにした物品管理装置は、既に知られている（例えば、特許文献１）。
【発明の概要】
【発明が解決しようとする課題】
【０００５】
しかしながら、上述した従来の物品管理装置においては、ＲＦＩＤタグ毎に、そのタグ固有の識別情報とそのタグが付された物品が配置されている領域の位置情報とを関連付けて記憶するタグ基本位置記憶手段を、マスタ情報として予め具備していなければならない煩雑さがある。
【０００６】
本発明は、このような事情に基づいてなされたもので、その目的とするところは、特定のマスタ情報を予め用意しなくてもバックヤードまたは店頭のいずれかに配置されたいずれかの商品、またはバックヤード、店頭のそれぞれにおける特定の棚に配置された商品のみの在庫を管理することができる物品管理装置、及び制御プログラムを提供しようとするものである。
【課題を解決するための手段】
【０００７】
本発明の物品管理装置は、物品に付され前記物品の商品コード及びパスワードを記憶可能なＲＦＩＤタグと無線通信可能な無線部と、前記物品の第１領域から第２領域への移動通知を受け付ける通知手段と、前記第２の領域に対応するパスワードを記憶するエリアパスワード記憶手段と、前記通知手段により前記物品の第１領域から第２領域への移動通知を受け付けると前記無線部を動作させて前記物品に付されたＲＦＩＤタグに前記エリアパスワード記憶手段で記憶した前記第２の領域に対応するパスワードを書込むパスワード更新手段と、を備えたものである。
【発明の効果】
【０００８】
本発明によれば、棚卸しの対象となった特定の領域、例えば特定の棚やバックヤードなどに配置された商品のみの在庫管理を特定のマスタ情報を予め用意しなくても行うことが出来る効果を奏する。
【図面の簡単な説明】
【０００９】
【図１】本発明の第１の実施形態に係る商品管理システムの概念図。
【図２】同商品管理システムにおいて、ＲＦＩＤタグのメモリに記憶されるデータのフォーマット図。
【図３】同商品管理システムのリーダ・ライタの構成を示すブロック図。
【図４】同商品管理システムのエリアパスワード設定部の概念図。
【図５】同商品管理システムの商品テーブルにおけるデータベースの概念図。
【図６】同商品管理システムにおけるリーダ・ライタのＣＰＵが実行する品出処理の手順を示す流れ図。
【図７】本発明の第１の実施形態に係る商品管理システムの概念図。
【図８】同商品管理システムにおけるリーダ・ライタの表示部に表示される棚卸処理画面の一例を示す図。
【図９】同商品管理システムにおけるリーダ・ライタのＣＰＵが実行する棚卸処理の手順を示す流れ図。
【図１０】同商品管理システムにおけるＲＦＩＤタグが問合せ電波を受信した際に実行する手順を示す流れ図。
【図１１】同商品管理システムにおけるリーダ・ライタのＣＰＵが実行する棚卸処理の手順を示す流れ図。
【図１２】同商品管理システムにおけるＲＦＩＤタグが問合せ電波を受信した際に実行する手順を示す流れ図。
【発明を実施するための形態】
【００１０】
以下、この発明の実施形態につき図面を参照して説明する。この説明に際し、全図にわたり、共通する部分には共通する参照符号を付す。
【００１１】
[第１の実施形態]  
まず、この実施の形態は、商品１品毎にそれぞれＲＦＩＤタグが付された状態で、各商品が販売される形態の店舗に構築される商品管理システムに、本発明を適用した場合である。具体的には、小売店における品出し時、またはその逆の業務に適用した場合である。
【００１２】
本発明の第１の実施形態に係る物品管理システムの構成図について図１を用いて説明する。この物品管理システムは、商品に付されたＲＦＩＤタグに対し、領域に応じたパスワードを設定する。ここでＲＦＩＤタグに対し領域に応じたパスワードを設定する物品管理装置として、本実施形態ではリーダ・ライタを一例として挙げる。
【００１３】
図示するように、バックヤードにおける商品棚１００上に複数の商品１２０が収容されている。これら商品１２０にはＲＦＩＤタグ１３０がそれぞれ付されており、これらＲＦＩＤタグ１３０内には同一のパスワードが書込まれているものとする。つまり、ＲＦＩＤタグ１３０は、図示せぬ内部アンテナとＩＣチップとを備える。ＩＣチップには、メモリや通信に必要な制御回路などが実装されている。メモリには、当該タグ固有のＩＤの他、図２に示すように、装着される商品１２０に固有の識別コード（以下、商品コードと称する）と、固有のパスワード（ここでは、バックヤード側のパスワード）が書き込まれている。ここで、バックヤード側に配置されている際のＲＦＩＤ１３０に書込まれているパスワードを‘００１’とする。
【００１４】
壁を挟み、バックヤードとは反対側に店頭がある。ここでの商品１２０に付されたＲＦＩＤタグのパスワードを‘００２’とする。
【００１５】
またバックヤードと店頭とを分ける壁にはリーダ・ライタ２００が配置されている。すなわち、バックヤード側に配置された商品１２０のＲＦＩＤタグ１３０のパスワードが、店頭側に品出しされる際、リーダ・ライタ２００によって変更される。
【００１６】
リーダ・ライタ２００はバックヤードと店頭とを区切る壁に付されている。つまり、リーダ・ライタ２００はバックヤードと店頭との境界に配置される。リーダ・ライタ２００は、領域に応じたパスワードをそれぞれのＲＦＩＤタグに書き込む機能を備える。つまり、前述したようにＲＦＩＤタグ１３０から送信されたデータを受信し、そのタグデータから商品コードとパスワードを読み取る機能だけでなく、ＲＦＩＤタグ１３０に所望のパスワードを書込む機能を持たせる。
【００１７】
＜リーダ・ライタ２００について＞  
次に、図３を用いて本実施形態に係るリーダ・ライタ２００の内部構成について説明する。図示するようにリーダ・ライタ２００は、以下説明する各構成部を集中的に制御するＣＰＵ（Central Processing Unit）２１０、無線部２２０、タグデータ読取部２３０及び商品テーブル２６０、ＲＯＭ（Read only memory）２７０の他、トリガー２５０と、エリアパスワード設定部２４０とを備える。そして、ＣＰＵ２１０、無線部２２０、タグデータ読取部２３０、エリアパスワード設定部２４０、トリガー２５０、商品テーブル２６０、及びこのＣＰＵ２１０を制御するコンピュータプログラムなど固定データを格納するＲＯＭ２７０をバスラインで接続することで、制御回路を形成している。
【００１８】
無線部２２０は、ＲＦＩＤタグ１３０と無線通信を行い、そのメモリに記憶されているタグデータを取り込む。
【００１９】
タグデータ読取部２３０は、無線部２２０から供給されたタグデータから、商品コードとパスワード読み取る。そして、読み取った商品コード及びパスワードをワークメモリで記憶する。
【００２０】
エリアパスワード設定部２４０は、図４に示すように、バックヤードに置かれる商品１２０に対して設定されるパスワード“００１”と、店頭に置かれる商品１２０に対して設定されるパスワード“００２”とを記憶している。
【００２１】
トリガー２５０は、品出し又はその逆の業務のいずれか開始を受け付ける。そして上記いずれか開始を受け付けると、トリガー２５０は商品１２０がバックヤードから店頭へと品出しされる場合と、その逆である商品１２０が店頭からバックヤードへと戻される場合とを示す信号のいずれかを出力する。
【００２２】
商品テーブル２６０は、図５に示すように、店頭及びバックヤードに配置された商品の商品コード及びそれに関連付けられた商品名、及びパスワードを記憶する。パスワードは、対応する商品がバックヤードから店頭に移動した際、あるいは店頭からバックヤードに移動した際に、その移動先エリアの値に更新される。
【００２３】
＜リーダ・ライタ２００の動作について＞  
しかして、バックヤード側に配置された商品１２０が店頭へと移動される品出業務に対して、ＣＰＵ２１０は、図６の流れ図に示す手順の処理を実行する。この処理は、ＲＯＭ２７０内の制御プログラムによって制御される。
【００２４】
まず、リーダ・ライタ２００におけるＣＰＵ２１０はトリガー２５０からの品出業務の開始を知らせる信号を待機している (ＳＴ１)。そして、ステップＳＴ１においてトリガー２５０から品出業務を受け付けた旨の信号を受信すると（通知手段）、ＣＰＵ２１０は商品コード読取部２３０が備えるワークメモリをクリアさせる（ＳＴ２）。また、ＣＰＵ２１０は無線部２２０に対し、ＲＦＩＤタグ用の問合せ電波を放射するよう制御する（ＳＴ３）。これにより品出中の商品１２０がバックヤード側から店頭側へと移動している最中であって、問合せ電波の交信領域内にＲＦＩＤタグ１３０が存在すると、このタグ１３０が活性化され、問合せに応答する。つまり、ＲＦＩＤタグ１３０の有するデータ、すなわち商品コード及びパスワードが図示せぬ内部アンテナから送信されると（ＳＴ４、ＹＥＳ）、ＣＰＵ２１０は商品コード読取部２３０に、受信したデータから商品コード及びパスワードを読取り、ワークメモリに記憶するよう制御する（ＳＴ５：読取記憶手段）。
【００２５】
ＣＰＵ２１０は商品コード読取部２３０のワークメモリに記憶された商品コードを用いて、商品テーブル２６０を検索し、その商品コードに関連付けられたパスワードを取得する（ＳＴ６）。その後、ＣＰＵ２１０はエリアパスワード設定部２４０を参照し、バックヤードにおけるパスワードから店頭におけるパスワードへと、ＲＦＩＤタグ１３０のパスワードを上書きする（ＳＴ７：更新手段）。すなわち、それまで記憶されていたパスワード‘００１’から‘００２’へと更新する。また、商品テーブル２６０が記憶するパスワードも同様に上書きする。そして上記ステップＳＴ１乃至ステップＳＴ７までの処理をＲＦＩＤタグ１３０からの応答がなくなるまで実行する。ＲＦＩＤタグ１３０からの応答がなくなると（ＳＴ４、ＮＯ）、品出業務を終了する。なお、上記品出業務において、バックヤードから店頭へと商品１２０を移動させた場合について説明したが、この逆の場合でも、本実施形態に係るリーダ・ライタ２００は適用可能とされる。つまり、トリガー２５０からの信号を確認したＣＰＵ２１０により、店頭からバックヤードへと商品１２０を戻す際には、ＣＰＵ２１０はエリアパスワード設定部２４０を確認し、商品１２０に付されたＲＦＩＤタグ１３０のパスワード‘００２’を、バックヤードにおけるパスワード、すなわち‘００１’へと上書きする。
【００２６】
このように本実施形態に係る物品管理装置、及び制御プログラムであると、バックヤードと店頭とにおいて、商品１２０に付されたＲＦＩＤタグ１３０のパスワードが異なることから、棚卸しの際、リーダ・ライタ２００をデータ読み出しとして機能させた場合、バックヤードに配置された在庫分だけを計数することができる。これにより、店頭に配置された商品１２０を誤って計数することがなくなり、マスタ情報を確認しながら棚卸しをする手間が省け、作業の効率化を促すことが出来る。
【００２７】
[第２の実施形態]  
次に、本発明の第２の実施形態について、図７乃至図１０を用いて説明する。本実施形態に係る商品管理システムは、上記第１の実施形態において、例えば店頭に配置された商品棚毎にパスワードを振り分けることで、棚卸時に効率よく在庫管理を行うものである。
【００２８】
まず、図７を用いて本実施形態に係る商品管理システムについて説明する。図７に本実施形態の商品管理システムの構成図を示す。このシステムは、複数の区画（図中、Ａ区画、Ｂ区画、Ｃ区画）とする）にそれぞれ配置された商品棚１０００−１、商品棚１０００−２、商品棚１０００−３にそれぞれ収容された商品１２００−１、商品１２００−２、商品１２００−３の在庫を、無線機能を備えた物品管理装置で管理するもので、本実施形態では物品管理装置の一例としてリーダ・ライタ２０００を例に挙げる。商品棚１０００−１乃至商品棚１０００−３はそれぞれバックヤードに配置される。また本実施形態においてリーダ・ライタ２０００は売り場の店員などが棚卸しの際に手にする。
【００２９】
商品棚１０００−１乃至商品棚１０００−３に収容される各商品１２００−１乃至商品１２００−３には、それぞれ商品棚ＲＦＩＤタグ１３００−１乃至ＲＦＩＤタグ１３００−３が付されており、このＲＦＩＤタグ１３００−１乃至ＲＦＩＤタグ１３００−３のデータをリーダ・ライタ２０００で無線通信により読み取ることによって、商品棚１０００−１乃至商品棚１０００−３の在庫を管理する。
【００３０】
またＲＦＩＤタグ１３００−１乃至ＲＦＩＤタグ１３００−３は、上記第１の実施形態と同様、図示せぬ内部アンテナとＩＣチップとを備えており、商品１２００−１に固有の識別コード（以下、商品コードと称する）と、区画毎に割り振られた固有のパスワードが書き込まれている。すなわちＡ区画の商品棚１０００−１に配置された商品１２００−１のＲＦＩＤタグ１３００−１と、例えばＢ区画の商品棚１０００−２に配置された商品１２００−２のＲＦＩＤタグ１３００−２とがそれぞれ保持するパスワードは互いに異なる。同様にＣ区画の商品棚１０００−３に配置された商品１２００−３のＲＦＩＤタグ１３００−３が保持するパスワードも、上記Ａ区画、Ｂ区画に配置された商品１２００−１及び商品１２００−２のＲＦＩＤタグ１３００−１及びＲＦＩＤタグ１３００−２が保持するパスワードと異なる。
【００３１】
なお、以後、ＲＦＩＤタグ１３００−１乃至ＲＦＩＤタグ１３００−３を区別しない場合には、単にＲＦＩＤタグ１３００と称する。また、商品棚１０００−１乃至商品棚１０００−３についても、それらを区別しない場合には単に商品棚１０００と称する。更に商品１２００−１乃至商品１２００−３についても同様に、区別しない場合には単に商品１２００と称する。
【００３２】
＜リーダ・ライタ２０００について＞  
次に図７に戻り、リーダ・ライタ２００について説明する。図７に示すように、リーダ・ライタ２０００は以下説明する各構成部を集中的に制御するＣＰＵ２１００、無線部２２００、タグデータ読取部２３００、入力部２４００、比較部２５００、算出部２６００、商品テーブル２７００、表示部２８００、ＲＯＭ２９００、及びパスワード設定部３０００を備える。そして、ＣＰＵ２１００、無線部２２００、タグデータ読取部２３００、入力部２４００、比較部２５００、算出部２６００、商品テーブル２７００、表示部２８００、パスワード設定部３０００、及びこのＣＰＵ２１００を制御するコンピュータプログラムなど固定データを格納するＲＯＭ２９００をバスラインで接続することで、制御回路を形成している。
【００３３】
入力部２４００は区画毎に割り振るためのパスワードの入力を受け付ける。すなわち、入力部２４００にはパスワードに用いられる数字０〜９、またはアルファベットａ〜ｚ等の文字キーが設けられており、これらのキー操作によって入力された文字列をパスワードとして取り込む。つまり、品出業務の際には、特定の商品棚１０００に配置された商品１２００に付されたＲＦＩＤタグ１３００に入力する所定のパスワードを受け付ける。また、棚卸業務の際には、入力部２４００は区画毎に割り振られたパスワードの入力を受け付ける。
【００３４】
比較部２５００は、入力部２４００で受け付けたパスワードと、タグデータ読取部２３００で読み取ったＲＦＩＤタグ１３００のパスワードとを比較する。
【００３５】
算出部２６００は、比較部２５００でパスワードが一致したＲＦＩＤタグ１３００の商品コードを基に商品別の在庫数を算出する。算出された商品別在庫数は、商品名とともに記憶部２６１０で記憶される。
【００３６】
商品テーブル２７００は、各商品棚１０００に陳列されている各商品の商品コードに対応させて、商品名等の商品データを記憶する。すなわち、図５のような商品データを記憶する。
【００３７】
表示部２８００は、記憶部２６１０に記憶されたデータから在庫管理画面を表示させる。在庫管理画面の一例を図８に示す。図８は、Ａ区画の商品棚１０００−１に配置された商品Ａ１及び商品Ａ２の在庫数Ｘ，Ｙを示している。
【００３８】
パスワード設定部３０００は、入力部２４００において商品棚１０００に商品１２００を配置するための業務を知らせるボタンが押されたことを示す信号を受け、該入力部２４００が受け付けたパスワードを、商品棚１０００毎の固有のパスワードとして設定する。つまりパスワード設定部３０００は、例えばＡ区画の商品棚１０００−１に配置される商品１２００−１に付されたＲＦＩＤタグ１３００−１には、例えば‘ａ’というパスワードを設定する。同様にＢ区画の商品棚１０００−２に配置される商品１２００−２に付されたＲＦＩＤタグ１３００−２には、例えば‘ｂ’というパスワードを設定する。そして、Ｃ区画の商品棚１０００−３に配置される商品１２００−３に付されたＲＦＩＤタグ１３００−３には、例えば‘ｃ’というパスワードを設定する。
【００３９】
なお、上記構成以外の無線部２０００及びタグデータ読取部２３００は、上記第１の実施形態における無線部２００及びタグデータ読取部と機能が同一であるため説明を省略する。
【００４０】
＜リーダ・ライタ２０００の書き込み動作について＞  
しかして、ＣＰＵ２１００は、入力部２４００を介して商品棚への商品の配置命令が指令されると、図９の流れ図に示すパスワード書き込み処理を実行する。この処理は、ＲＯＭ２９００内の制御プログラムによって制御される。ここでは、一例としてＡ区画の商品棚１０００−１に配置された商品１２００−１に対して商品棚１０００への品出業務を実行するものとする。すなわち、この品出業務においてＲＦＩＤタグ１３００−１にパスワードを書込む。
【００４１】
まず、ＣＰＵ２１００は入力部２４００に区画毎割り振られるパスワードが入力されるのを待機する。そして、入力部２４００の文字キー操作により数字またはアルファベット等の文字列データが入力されると、この文字列データをパスワードとして取り込む（ＳＴ２１）。パスワードを取り込むと、次に、ＣＰＵ２１００は無線部２２００を動作させてタグ問合せ用の電波を放射させる（ＳＴ２２）。
【００４２】
ここで、上記タグ問合せ用電波の到達領域内に存在するＲＦＩＤタグ１３００−１は、図１０の流れ図に示す動作を行う。すなわち、ＲＦＩＤタグ１３００−１は、上記タグ問合せ用の電波信号を受信すると、活性化され、問合せに応答する（ＳＴ３１）。そして、メモリに記憶した商品コードを、タグデータとしてリーダ・ライタ２０００へ送信する（ＳＴ３２）。
【００４３】
こうして、ＲＦＩＤタグ１３００−１からタグデータの応答があると（ＳＴ２３、ＹＥＳ）、ＣＰＵ２１００は、このタグデータをタグデータ読取部２３００に供給し、商品コードを読取らせる（ＳＴ２４）。そして、読み取られた商品コードを、ワークメモリに記憶させる（ＳＴ２５）。
【００４４】
次に、ＣＰＵ２１００は上記ワークメモリに記憶させた商品コードで、商品テーブル２７００内を検索する（ＳＴ２６）。そして、ＣＰＵ２１００は商品コードに対応したパスワードを、上記ステップＳＴ２１で入力されたパスワードとして記憶させる（ＳＴ２７）。
【００４５】
その後、ＣＰＵ２１００は区画毎に割り振られ、商品テーブルに書込まれたパスワードを、無線部２２００を介して商品棚１０００−１に対応するＲＦＩＤタグ１３００−１に対して送信することで、ＲＦＩＤタグ１３００−１に所定のパスワードを書込む（ＳＴ２８）。上記ステップＳＴ２１乃至ステップＳＴ２８までの処理を、区画毎に行う。また、ステップＳＴ２３においてタグリーダ１３００−１からの応答がない場合（ＳＴ２３、ＮＯ）、パスワードの書き込みを終了する。
【００４６】
＜リーダ・ライタ２０００の読出し動作について＞  
次に、棚卸業務の際、ＣＰＵ２１００による読出し動作について説明する。ＣＰＵ２１００は、入力部２４００を介して棚卸業務の開始が指令されると、図１１の流れ図に示す棚卸処理を実行する。この処理はＲＯＭ２９００内の制御プログラムによって制御される。ここでは、一例としてＡ区画の商品棚１０００−１に配置された商品１２００−１に対して棚卸業務を実行するものとする。
【００４７】
まず、ＣＰＵ２１００はパスワード書き込み動作におけるステップＳＴ２１、ＳＴ２２の処理を行う。すなわちＣＰＵ２１００は図１０の処理が実行されることで区画毎に割り振られたパスワードが、入力部２４００に入力されるのを待機する。そして、入力部２４００の文字キー操作により数字またはアルファベット等の文字列データが入力されると、この文字列データをパスワードとして取り込む。パスワードを取り込むと、次に、ＣＰＵ２１００は無線部２２００を動作させてタグ問合せ用の電波を放射させる。
【００４８】
ここで、上記タグ問合せ用電波の到達領域内に存在するＲＦＩＤタグ１３００−１は、図１２の流れ図に示す動作を行う。すなわち、ＲＦＩＤタグ１３００−１は、上記タグ問合せ用の電波信号を受信すると、活性化され、問合せに応答する（ＳＴ５１）。そして、メモリに記憶した商品コードとパスワードとを、タグデータとしてリーダ・ライタ２０００へ送信する（ＳＴ５２）。
【００４９】
こうして、ＲＦＩＤタグ１３００−１からタグデータの応答があると（ＳＴ４３、ＹＥＳ）、ＣＰＵ２１００は、このタグデータをタグデータ読取部２３００に供給し、商品コード及びパスワードを読取らせる（ＳＴ４４）。そして、ＣＰＵ２１００はステップＳＴ２５の処理を行う。
【００５０】
引き続きＣＰＵ２１００は、商品コード読取部２３００が読取ったパスワードと、ステップＳＴ１で取り込んだパスワードとが一致しているか否か比較部２５００に比較させる（ＳＴ４６）。その結果、パスワードが一致していれば（ＳＴ４６、ＹＥＳ）、ＣＰＵ２１００は商品テーブル２７００を検索して、タグデータの商品コードに関連付けられた商品名を取得する（ＳＴ４７）。また、ＣＰＵ２１００は、算出部２６００に対し、タグデータの商品コードを基に商品別の在庫数を計数させる。そしてＣＰＵ２１００は算出部２６００が算出した商品別の在庫数とその商品の商品名とを記憶部２６１０に記憶させる（ＳＴ４８）。そして、上記ステップＳＴ２１乃至ステップＳＴ４８までの処理を繰り返し、ＲＦＩＤタグ１３００−１からの応答がなくなると（ＳＴ４３、ＮＯ）、ＣＰＵ２１００は、記憶部２６１０に記憶された商品名と在庫数とを表示部２８００に表示させる（ＳＴ４９）。また、ステップＳＴ４６においてパスワードが一致しなければ（ＳＴ４６、ＮＯ）、ＣＰＵ２１００は再度パスワードが入力されるまで待機する（ＳＴ２１）。
【００５１】
このように本実施形態によると、各商品棚１０００にそれぞれ収容された商品１２００には、その商品固有の商品コードとともに、その商品棚１０００が配置されている区画に対して固有のパスワードが記憶されたＲＦＩＤタグ１３００が付されている。この状態で、棚卸業務を行う店員は、棚卸対象の商品棚、例えば商品棚１０００−１が配置されているＡ区画のパスワードを認識し、リーダ・ライタ２０００の入力部２４００を介して入力する。そうすると、リーダ・ライタ２０００からＵＨＦ帯を用いた無線通信によりタグ問合せ電波が放射され、この電波を受信したＲＦＩＤタグ１３００のデータが、リーダ・ライタ２０００によって読み取られる。ただし、タグデータ中のパスワードが、入力されたパスワードと一致しないタグデータは破棄される。リーダ・ライタ２０００は、入力されたパスワードと一致するパスワードを含むタグデータのみを有効データとして取扱い、そのタグデータ中の商品コードを基に、商品別在庫数を計数して表示部２８００に表示させる。したがって、商品別在庫数として計数される商品は、入力されたパスワードと一致するパスワードをタグデータとして記憶するＲＦＩＤタグ１３００が付された商品に限られるので、誤って別の商品棚の商品における在庫を計数することがなくなる。
【００５２】
このように、本実施形態に係る物品管理装置、及び制御プログラムによれば、特定のマスタ情報を予め用意しなくても、棚卸しの対象となった特定の棚に配置された商品のみの在庫管理を行うことができるので、効率のよい棚卸業務を実行できる。
【００５３】
なお、この発明は上記第１、第２の実施形態そのままに限定されるものではなく、実施段階ではその要旨を逸脱しない範囲で構成要素を変形して具体化できる。
【００５４】
また、前記実施形態では装置内部に発明を実施する機能を実現するための制御プログラムが予め記録されている場合で説明をしたが、これに限らず同様の制御プログラムをネットワークから装置にダウンロードしても良いし、記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合せてもよい。
【符号の説明】
【００５６】
１０００−１〜１０００−３、１０００…商品棚、１２００−１〜１２００−３、１２００…商品、１３００−１〜１３００−３、１３００…ＲＦＩＤタグ、２００、２０００…リーダ・ライタ、２１０、２１００…ＣＰＵ、２２０、２２００…無線部、２３０、２３００…タグデータ読取部、２４００…入力部、２５００…比較部、２６００…算出部、２６１０…記憶部、２７０、２６００…商品テーブル、２８００…表示部、２４０…エリアパスワード設定部、２５０…トリガー、２７０、２９００…ＲＯＭ
【先行技術文献】
【特許文献】
【００５７】
【特許文献１】特開２００９−１２０３０１号公報
【図１】
2011053894.tif 000003
【図２】
2011053894.tif 000004
【図３】
2011053894.tif 000005
【図４】
2011053894.tif 000006
【図５】
2011053894.tif 000007
【図６】
2011053894.tif 000008
【図７】
2011053894.tif 000009
【図８】
2011053894.tif 000010
【図９】
2011053894.tif 000011
【図１０】
2011053894.tif 000012
【図１１】
2011053894.tif 000013
【図１２】
2011053894.tif 000014